(57)【特許請求の範囲】
【請求項１】
遊技球が流下する遊技領域に面する壁面と、
前記壁面を前後方向に貫通する露出孔と、
前記壁面に形成された開口と、
回転軸部、前記回転軸部の回転に伴って前記開口を開閉する開閉部、前記開閉部と前記回転軸部の軸方向にずれた位置に設けられ、前記壁面よりも後方側に位置して前記露出孔に対向する被押圧部を有する可動体と、
を備えたことを特徴とする遊技機。
【請求項２】
遊技球が流下する遊技領域に面する壁面と、
前記壁面を前後方向に貫通する露出孔と、
前記壁面に形成された開口と、
回転軸部、前記回転軸部の回転に伴って前記開口を開閉する開閉部、前記回転軸部から該回転軸部を境に前記開閉部と反対側に延在し、前記壁面よりも後方側に位置して前記露出孔に対向する被押圧部を有する可動体と、
を備えたことを特徴とする遊技機。
【発明の詳細な説明】
【技術分野】
【０００１】
本発明は、遊技領域に面する壁面に形成された開口が可動体で開閉される遊技機に関する。
【背景技術】
【０００２】
従来、遊技盤の前面に、大入賞口や始動口と呼ばれる開口が形成され、この開口が開閉扉等の可動体によって開閉される遊技機が知られている。大入賞口や始動口は、遊技中に所定条件が成立すると開放され、大入賞口や始動口に遊技球が入球すると、遊技者に賞球が払い出される。
【０００３】
遊技機の設計、製造段階では、可動体が適切に開閉動作を行うかを検査したり、遊技球の入球を検知するセンサが正常に作動するかを検査したりする。こうした検査工程では、例えば、特許文献１、２に示されるように、検査治具を用いて可動体にアクセスし、大入賞口や始動口を強制的に開く必要がある。
【先行技術文献】
【特許文献】
【０００４】
【特許文献１】特開平１０−２２５５５５号公報
【特許文献２】特開平１０−３３７６６号公報
【発明の概要】
【発明が解決しようとする課題】
【０００５】
近年では、意匠性の向上を図るべく、大入賞口や始動口の近傍に装飾部品が多数設けられており、また、遊技盤の背面側にも、演出用の可動役物装置が多数格納されている。そのため、検査工程で可動体にアクセスするのが困難となり、作業が煩雑になるという課題がある。
【０００６】
本発明は、検査工程における作業を簡素化することができる遊技機の提供を目的とする。
【課題を解決するための手段】
【０００７】
上記課題を解決するために、本発明の遊技機は、遊技球が流下する遊技領域に面する壁面と、前記壁面を前後方向に貫通する露出孔と、前記壁面に形成された開口と、回転軸部、前記回転軸部の回転に伴って前記開口を開閉する開閉部、前記開閉部と前記回転軸部の軸方向にずれた位置に設けられ、前記壁面よりも後方側に位置して前記露出孔に対向する被押圧部を有する可動体と、を備えたことを特徴とする。また、上記課題を解決するために、本発明の遊技機は、遊技球が流下する遊技領域に面する壁面と、前記壁面を前後方向に貫通する露出孔と、前記壁面に形成された開口と、回転軸部、前記回転軸部の回転に伴って前記開口を開閉する開閉部、前記回転軸部から該回転軸部を境に前記開閉部と反対側に延在し、前記壁面よりも後方側に位置して前記露出孔に対向する被押圧部を有する可動体と、を備えたことを特徴とする。
【発明の効果】
【００１１】
本発明によれば、検査工程における作業を簡素化することができる。
【図面の簡単な説明】
【００１２】
【図１】扉が開放された状態を示す遊技機の斜視図である。
【図２】遊技機の正面図である。
【図３】遊技盤の正面図である。
【図４】図３の破線部分の拡大斜視図である。
【図５】装飾カバーを取り外した状態の開口および開閉部を示す図である。
【図６】図５の状態からさらに正面側壁面を取り外した状態を示す図である。
【図７】可動体の斜視図である。
【図８】可動体の動作を説明する図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１５】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１６】
図２は、遊技機１００の正面図である。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８の前面に設けられたレール１１４ａと、遊技盤１０８の前面に固定されるレールユニットＲＵのレール１１４ｂとの間を上昇して遊技領域１１６に導かれることとなる。
【００１７】
遊技領域１１６は、遊技盤１０８と透過板１１０との間隔に形成される空間であって、遊技球が流下または転動可能な領域である。遊技領域１１６は、発射機構の発射強度に応じて遊技球の進入度合いを互いに異にする左打ち領域１１６ａおよび右打ち領域１１６ｂを含む。左打ち領域１１６ａは、遊技機１００に正対した遊技者から見て遊技盤１０８の左側に位置し、右打ち領域１１６ｂは、遊技機１００に正対した遊技者から見て遊技盤１０８の右側に位置している。レール１１４ａ、１１４ｂが遊技領域１１６の左側にあることから、左打ち領域１１６ａには、所定の発射強度未満で発射された遊技球が進入し、右打ち領域１１６ｂには、所定の発射強度以上で発射された遊技球が進入することとなる。
【００１８】
より具体的には、遊技盤１０８には、その厚み方向、すなわち、遊技機１００の前後方向に貫通する貫通孔１１８が形成されている。この貫通孔１１８は、例えば遊技盤１０８の半分以上の面積を占めており、貫通孔１１８を覆うように、遊技盤１０８の前面側に遊技ユニットＵが組み付けられている。遊技ユニットＵは、装飾部品、入賞口、アクチュエータ等の種々の部品を一体化して構成されている。この遊技ユニットＵの中央には、遊技機１００の前後方向に貫通する中央孔１２０が形成されている。遊技盤１０８の背面側には不図示の液晶画面が設けられ、この液晶画面が、遊技機１００の正面側から、貫通孔１１８および中央孔１２０を介して視認できるように構成されている。
【００１９】
また、遊技ユニットＵには、遊技機１００の前後方向や遊技盤１０８の面方向に延在する区画壁部が設けられている。この区画壁部は、遊技領域１１６を区画形成するものであり、例えば、遊技ユニットＵの中央孔１２０の周縁に設けられ、中央孔１２０への遊技球の脱落を防止する。このように、遊技ユニットＵに設けられた区画壁部により、中央孔１２０の左側に左打ち領域１１６ａが区画形成され、中央孔１２０の右側に右打ち領域１１６ｂが区画形成されることとなる。
【００２０】
図３は、遊技盤１０８の正面図である。なお、この図３においては、遊技盤１０８に遊技ユニットＵおよびレールユニットＲＵが組み付けられた状態を示しているが、遊技ユニットＵおよびレールユニットＲＵの一部の部品を省略している。遊技ユニットＵは、レールユニットＲＵよりも遊技盤１０８の中央側に設けられる。換言すれば、遊技ユニットＵは、レールユニットＲＵのレール１１４ｂに囲繞されている。
【００２１】
遊技ユニットＵは、中央孔１２０の右側に正面側壁面１２２を備えている。この正面側壁面１２２は、透過板１１０に略平行状態で対向する面であり、中央孔１２０の右側で鉛直方向に延在している。正面側壁面１２２は、遊技領域１１６、より詳細には、右打ち領域１１６ｂに面しており、換言すれば、透過板１１０やレール１１４ｂとともに、右打ち領域１１６ｂを区画形成している。この正面側壁面１２２には、透過板１１０側に突出するゲート１２４が設けられている。ゲート１２４には、鉛直方向に貫通する通路が形成されており、右打ち領域１１６ｂを流下する遊技球がゲート１２４を通過可能となっている。
【００２２】
図４は、図３の破線部分の拡大斜視図である。ゲート１２４の下方には、装飾カバー１２６（図中、一部を透過して示す）が設けられている。この装飾カバー１２６は、正面側壁面１２２に対して略垂直な起立壁部１２６ａと、正面側壁面１２２に間隔を維持して対向する被覆部１２６ｂとを含んで構成される。装飾カバー１２６には、ゲート１２４に対向する部分に上部開口１２６ｃが形成されており、装飾カバー１２６の下部には、下部開口１２６ｄが形成されている。上部開口１２６ｃと下部開口１２６ｄとは鉛直方向に貫通しており、ゲート１２４を通過した遊技球は、正面側壁面１２２と被覆部１２６ｂとの間に形成される隙間を通過して、装飾カバー１２６よりも下方に流下する。つまり、正面側壁面１２２と装飾カバー１２６との対向間隔は、遊技球が通過する通路となっている。
【００２３】
そして、正面側壁面１２２には、入賞口を形成する開口１２８が形成されている。この開口１２８は、一部が装飾カバー１２６の被覆部１２６ｂに対向する位置に配されており、開閉部１３０ａによって開閉される。つまり、装飾カバー１２６は、開口１２８で形成される入賞口の前面を被覆し、意匠性を向上する装飾部材として機能している。
【００２４】
図５は、装飾カバー１２６を取り外した状態の開口１２８および開閉部１３０ａを示す図であり、図６は、図５の状態からさらに正面側壁面１２２を取り外した状態を示す図である。図５および図６に示すように、正面側壁面１２２の背面側（被覆部１２６ｂと反対側）には、遊技機１００の幅方向に離隔して２つの軸受１３２が設けられており、この軸受１３２に可動体１３０が回転自在に軸支されている。
【００２５】
可動体１３０は、上記のように、開口１２８を開閉する薄板形状の開閉部１３０ａと、この開閉部１３０ａの下端に設けられる回転軸部１３０ｂとを備えている。回転軸部１３０ｂは、遊技機１００の幅方向に軸心を沿わせており、両端部が軸受１３２に回転自在に軸支されている。通常、可動体１３０は、不図示の弾性部材の付勢力により、図５に示すとおり、開閉部１３０ａが開口１２８を塞ぐ閉状態に保持されている。
【００２６】
一方、可動体１３０には、アクチュエータが連結されており、アクチュエータが作動すると、回転軸部１３０ｂが回転し、この回転によって、開閉部１３０ａの上端が遊技機１００の前面側に突出するように傾倒して開状態となる。可動体１３０の開状態では、開閉部１３０ａが、その下端（回転軸部１３０ｂ）から上端に向かって僅かに上方に傾斜した姿勢となる。これにより、可動体１３０の開状態では、開閉部１３０ａが、正面側壁面１２２と被覆部１２６ｂとの間の隙間を流下する遊技球を開口１２８に導く受け皿として機能することとなる。
【００２７】
ここで、遊技機１００の設計、製造段階では、可動体１３０が適切に開閉動作を行うかを検査したり、遊技球の入球を検知するセンサが正常に作動するかを検査したりする。こうした検査工程では、可動体１３０を強制的に開状態とする必要がある。ところが、本実施形態では、意匠性を向上するべく、装飾カバー１２６が設けられており、遊技機１００の正面側から可動体１３０にアクセスするのが難しい。
【００２８】
そこで、本実施形態では、図５に示すように、正面側壁面１２２に、遊技機１００の前後方向に貫通する孔からなる露出部１３４が形成されている。この露出部１３４は、正面側壁面１２２の背面側に位置する可動体１３０の一部に対向する位置に配されている。つまり、露出部１３４は、可動体１３０の一部を、正面側壁面１２２の正面側に露出させる。
【００２９】
図７は、可動体１３０の斜視図である。上記したように、可動体１３０は、開閉部１３０ａが回転軸部１３０ｂと一体に設けられており、回転軸部１３０ｂには、開閉部１３０ａと軸方向にずれた位置に突片１３０ｃが設けられている。この突片１３０ｃは、回転軸部１３０ｂと一体形成されており、回転軸部１３０ｂの径方向に突出している。突片１３０ｃは、開閉部１３０ａに対して、回転軸部１３０ｂの回転軸周りに略１８０°位相をずらした方向に突出している。換言すれば、開閉部１３０ａと突片１３０ｃとは、回転軸部１３０ｂを境にして反対側に、回転軸部１３０ｂの径方向に突出している。
【００３０】
突片１３０ｃには、回転軸部１３０ｂと反対側に突出する駆動軸１３０ｄが設けられている。この駆動軸１３０ｄの軸心は、回転軸部１３０ｂの軸心と平行であり、上記した不図示のアクチュエータに連結される。アクチュエータが作動すると、駆動軸１３０ｄが矢印Ａ方向に押し上げられて、回転軸部１３０ｂが矢印Ｂ方向に回転する。これにより、開閉部１３０ａが、回転軸部１３０ｂを回転軸として矢印Ｃ方向に傾倒し、開口１２８が開放されることとなる。
【００３１】
そして、突片１３０ｃには、回転軸部１３０ｂから、当該回転軸部１３０ｂを境に開閉部１３０ａと反対側に延在する被押圧部１３０ｅが設けられている。この被押圧部１３０ｅは、可動体１３０が閉状態にあるときに、露出部１３４（図８参照）に対向する。つまり、可動体１３０が閉状態にあるときには、突片１３０ｃの被押圧部１３０ｅが、正面側壁面１２２の前面側から露出部１３４を介して視認可能となっている。
【００３２】
図８は、可動体１３０の動作を説明する図である。図８（ａ）に示すように、可動体１３０は、通常、不図示の弾性部材の付勢力により、開閉部１３０ａが開口１２８を閉じる閉状態に維持されている。このとき、被押圧部１３０ｅは露出部１３４に対向している。そして、遊技機１００の検査工程で、可動体１３０を開状態にする場合には、正面側壁面１２２の前面側から露出部１３４に挿入棒２００を挿通させる。
【００３３】
そうすると、挿入棒２００の先端が被押圧部１３０ｅに接触するが、その後もさらに挿入棒２００を押し込むと、挿入棒２００によって被押圧部１３０ｅが押圧され、回転軸部１３０ｂを軸として可動体１３０が回転する。そして、図８（ｂ）に示すように、挿入棒２００の先端が、被押圧部１３０ｅの下端よりも奥側（図８（ｂ）の左側）に押し込まれると、挿入棒２００の上に可動体１３０が乗り上げる。このように、可動体１３０が挿入棒２００に乗り上げた状態では、挿入棒２００から手を放しても、可動体１３０が開状態に保持されたままとなる。したがって、作業者は、挿入棒２００から手を放して作業を行うことができ、作業効率を向上することができる。
【００３４】
以上のように、被押圧部１３０ｅは、被覆部１２６ｂ側から正面側壁面１２２側への押圧力の作用により、開口１２８を開く方向に開閉部１３０ａを作動させる。そして、この被押圧部１３０ｅに対向する露出部１３４を正面側壁面１２２に形成することにより、遊技機１００の前面側から可動体１３０に容易にアクセスすることが可能となる。
【００３５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００３６】
例えば、上記実施形態では、遊技機１００の正面側に臨む正面側壁面１２２に開口１２８を設けることとした。しかしながら、開口１２８は、正面側壁面１２２に限らず、遊技機１００の幅方向に臨む壁面等、遊技領域１１６に面する壁面に設ければよい。したがって、上記実施形態では、遊技ユニットＵに開口１２８を設けることとしたが、遊技盤１０８に、直接、開口１２８を設けてもよい。
【００３７】
また、上記実施形態では、露出部１３４を正面側壁面１２２に設けることとした。しかしながら、例えば、被覆部１２６ｂが露出部１３４に対向する位置まで延在している場合には、正面側壁面１２２と被覆部１２６ｂとの双方に露出部１３４を設けることが望ましい。また、被覆部１２６ｂにのみ対向する位置に被押圧部１３０ｅがある場合には、被覆部１２６ｂにのみ露出部１３４を設ければよい。
【００３８】
さらには、上記実施形態では、アクチュエータから動力を受けるための突片１３０ｃを開閉部１３０ａとは別に設け、この突片１３０ｃに被押圧部１３０ｅを設けることとした。しかしながら、被押圧部１３０ｅは必須の構成ではなく、例えば、開閉部１３０ａを露出部１３４に対向させてもよい。いずれにしても、遊技領域１１６に面する壁面（正面側壁面１２２）および被覆部１２６ｂのいずれか一方または双方に露出部１３４が形成され、露出部１３４に、可動体１３０の一部が対向すればよい。
【符号の説明】
【００３９】
１００  遊技機
１１６  遊技領域
１２２  正面側壁面
１２６ｂ  被覆部
１２８  開口
１３０  可動体
１３０ａ  開閉部
１３０ｂ  回転軸部
１３０ｅ  被押圧部
１３４  露出部
【図１】
0006326091.tif 000002
【図２】
0006326091.tif 000003
【図３】
0006326091.tif 000004
【図４】
0006326091.tif 000005
【図５】
0006326091.tif 000006
【図６】
0006326091.tif 000007
【図７】
0006326091.tif 000008
【図８】
0006326091.tif 000009